【事件の表示】
　平成１１年特許願第２７５８０３号「パチンコ機」拒絶査定不服審判事件〔平成１２年　３月２１日出願公開、特開２０００−　７９２１２〕について、次のとおり審決する。
【結　論】
　本件審判の請求は、成り立たない。
【理　由】
【１】本願の手続の経緯 
　本願は平成４年９月２９日の出願を、平成１１年９月２９日に新たに出願したものであって、平成１４年３月２８日付けで拒絶理由が通知され、これに対し平成１４年６月７日付けで手続補正され、平成１５年２月２０日付けで拒絶査定がなされ、これに対し平成１５年４月３日付けで拒絶査定に対する審判請求がなされ、平成１５年５月２日付けで手続補正がなされたものである。
　　　　　
【２】本願発明
　本願発明は、平成１５年５月２日付けの手続補正により、補正された特許請求の範囲の請求項１に係る発明（以下、「本願発明」という。）であり、以下のとおりである。
「【請求項１】第１の特定入賞口へのパチンコ球の飛入に基づき第１の可変表示装置を作動させ、第２の特定入賞口へのパチンコ球の飛入に基づき第２の可変表示装置を作動させ、両可変表示装置の表示が各々予め設定された表示態様になると、第１及び第２の可変入賞装置を各々遊技者に不利な第１状態から有利な第２状態に変換するようにしたパチンコ機であって、
　前記第１の可変入賞装置と前記第２の可変入賞装置とを上下に隣接させ、前記第１の可変入賞装置には、特別スイッチを備える特別領域を設け、第２の可変入賞装置には検出スイッチを設け、
　前記第１の可変入賞装置の開口部は、前記第２の可変入賞装置の開口部よりも横幅が広いことを特徴とするパチンコ機。」
　　　　　
【３】引用例に記載の発明
　本願発明の原査定の拒絶の理由に引用され、本願の出願日前に頒布された特開平４−９７７６８号公報（以下、「引用例」という。）には、図面とともに、以下の技術事項が記載されている。
（ア）「第１図は、パチンコ遊技機における遊技領域に配設された各種機器や装置を示す正面図である。遊技領域２２３には図示しない打球装置によりパチンコ玉が１つずつ打ち込まれる。この遊技領域２２３には、複数種類の識別情報が可変表示可能な普通可変表示装置２と、複数種類の識別情報が可変表示可能な特別可変表示装置１と、可動部材４ａ，４ｂが開閉することにより打玉が入賞しやすい遊技者にとって有利な第１の状態と打玉が入賞しにくいまたは入賞しない遊技者にとって不利な第２の状態とに変化する普通可変入賞球装置４とが一体的に設けられている。さらに遊技領域２２３の下方位置には、開閉板５１が開閉することにより打玉が入賞しやすい遊技者にとって有利な第１の状態と打玉が入賞しにくいまたは入賞しない遊技者にとって不利な第２の状態とに変化する特別可変入賞球装置３と、特別始動入賞口９ａ、９ｂとが一体的に設けられている。さらに遊技領域２２３には、普通始動通過口７や打ち込まれたパチンコ玉がいずれの入賞領域や入賞球装置にも入賞しなかった場合にアウト口５０等が設けられている。」（第３頁左下欄第１１行〜同頁右下欄第１４行）
（イ）「遊技領域２２３に打ち込まれたパチンコ玉が特別始動入賞口９ａ，９ｂのいずれかに入賞すれば、始動入賞玉検出器１１ａ，ｌｌｂのうちの対応する始動入賞玉検出器により検出され、その検出出力に基づいて前記特別可変表示装置１が可変表示を開始する。この特別可変表示装置１は、左図柄、中図柄、右図柄の３つの図柄をそれぞれ可変表示する特別可変表示器１ａ，１ｂ，ｌｃとを含み、前記特別始動入賞口９ａ，９ｂへのパチンコ玉の入賞に伴ってすべての特別可変表示器１ａ，１ｂ，１ｃがいっせいに可変表示を開始し、所定時間の経過によりまず向かって左の図柄が停止され、さらに所定時間経過した後に中央の図柄が停止され、さらに所定時間経過した後に右の図柄か停止される。なお、この停止順序は左、，中央，右以外の順序であってもよい。パチンコ玉が普通始動通過口７を通過すればその通過玉が始動通過玉検出器により検出され、その検出出力に基づいて普通可変表示装置２が可変表示を開始する。この普通可変表示装置２は、左図柄，右図柄の２つの図柄をそれぞれ可変表示する普通可変表示器２ａ、２ｂを含む。この普通可変表器２ａ，２ｂは、前記始動通過玉検出器８からの検出出力に基づいていっせいに可変表示を開始し所定時間が経過にすることにより向かって右の普通可変表示器２ａが停止され、さらに所定時間が経過することにより向かって右の普通可変表示器２bが停止制御される。なお、この普通可変表示装置２は１つまたは３つ以上の普通可変表示器からなるものであってもよく、特別可変表示装置１は１つまたは２つあるいは４つ以上の特別可変表示器からなるものであってもよい。さらに、これら可変表示装置１，２は、常時可変表示させておき、始動入賞（始動通過）により改めて可変開始するものであってもよい。その場合には、始動入賞（始動通過）により可変表示の明るさや早さを切換えて可変開始を報知するように構成することが望ましい、その他に、回転ドラム式可変表示装置、液晶表示式可変表示装置、エレクトロルミネセンスを用いた可変表示装置、複数のランプが点灯走行して可変表示を行なう可変表示装置、いわゆる口タミント等であってもよい」（第３頁右下欄第１５行〜第４頁右上欄第１７行）
（ウ）「特別可変表示器１ａ，１ｂ，１ｃや普通可変表示器２ａ、２ｂは、０〜９の１０種類の数字を可変表示するものであり、特別可変表示装置１の表示結果が、第１図に示す横３行および斜め対角線上に２列の合計５列のラインにたとえば７７７が揃えば大当り状態となり、ソレノイド１６が励磁されて開閉板５１が開成される。この開閉板５１の開成は、所定時間（たとえば３０秒間）の経過または打玉の所定個数（たとえば１０個）の入賞のうち早い方の条件が成立するまで継続される。図中５２は特定入賞領域（Ｖポケット）であり、この特定入賞領域５２にパチンコ玉が入賞すれば特定入賞検出器１２によりその入賞玉が検出される。」（第４頁右上欄第１８行〜同頁左下欄第１１行】）
（エ）「この普通始動通過ロ７にパチンコ玉が通過して可変表示された普通可変表示装置２の停止時の表示結果が所定の識別情報（たとえば７７）となれば、ソレノイド１５を励磁させて普通可変入賞球装置４を比較的長い所定時間（たとえば６秒間）改正制御する。一方、、普通可変表示装置２の停止時の表示結果が「３３」となればチューリップソレノイド１５を励磁させて普通可変入賞球装置４を比較的短い所定時間（たとえば３秒間）を開成させる。」（第５頁左上欄第１１〜２０行９）
（オ）「この普通可変入賞球装置４に入賞したパチンコ玉は指導入賞玉検出器１０により検出され、その検出出力に基づいて特別可変表示装置１が可変表示される。またこの可変入賞球装置４にパチンコ玉が入賞すれば１個の入賞玉に基づき比較的少ない所定個数（たとえば７個）の景品玉が払い出される。」（第５頁右上欄第１〜７行）
　　　　
　以上の（ア）乃至（オ）の記載事項及び図面の記載から、「引用例」には、以下の発明（以下、「引用発明」という。）が記載されているものと認められる。
　　　　
＜引用発明＞
「パチンコ遊技機は、遊技領域２２３に、複数種類の識別情報が可変表示可能な普通可変表示装置２と、複数種類の識別情報が可変表示可能な特別可変表示装置１と、可動部材４ａ，４ｂが開閉することにより打玉が入賞しやすい遊技者にとって有利な第１の状態と打玉が入賞しにくいまたは入賞しない遊技者にとって不利な第２の状態とに変化する普通可変入賞球装置４とが一体的に設けられ、さらに遊技領域２２３の下方位置には、開閉板５１が開閉することにより打玉が入賞しやすい遊技者にとって有利な第１の状態と打玉が入賞しにくいまたは入賞しない遊技者にとって不利な第２の状態とに変化する特別可変入賞球装置３と、特別始動入賞口９ａ，９ｂとが一体的に設けられ、普通始動通過口７やアウト口５０等が設けられたパチンコ遊技機であって、パチンコ玉が特別始動入賞口９ａ，９ｂのいずれかに入賞すれば、始動入賞玉検出器１１ａ，ｌｌｂのうちの対応する始動入賞玉検出器により検出され、その検出出力に基づいて特別可変表示装置１が可変表示を開始し、パチンコ玉が普通始動通過口７を通過すればその通過玉が始動通過玉検出器により検出され、その検出出力に基づいて普通可変表示装置２が可変表示を開始し、特別可変表示装置１の表示結果が、横３行および斜め対角線上に２列の合計５列のラインにたとえば７７７が揃えば大当り状態となり、ソレノイド１６が励磁されて開閉板５１が開成され、普通可変表示装置２の表示結果が所定の識別情報となれば、チューリップソレノイド１５を励磁させて普通可変入賞球装置４を開成させ、特別可変入賞球装置３には特定入賞領域５２（Ｖポケット）を設け、この特定入賞領域５２にパチンコ玉が入賞すれば特定入賞検出器１２によりその入賞玉が検出され、普通可変入賞球装置４にパチンコ玉が入賞すれば１個の入賞玉に基づき比較的少ない所定個数（たとえば７個）の景品玉が払い出されるパチンコ遊技機。」
　　　　　　
３．対比・判断
　本願発明と引用発明との対比
　本願発明と引用発明とを対比すると、引用発明の「パチンコ玉が特別始動入賞口９ａ、９ｂのいずれかに入賞すれば」が本願発明の「第１の特定入賞口へのパチンコ球の飛入に基づき」に相当し、以下同様に、「特別可変表示装置１が可変表示を開始し」が「第１の可変表示装置を作動させ」に、「パチンコ玉が普通始動通過口７を通過すれば」が「第２の特定入賞口へのパチンコ球の飛入に基づき」に、「普通可変表示装置２が可変表示を開始し」が「第２の可変表示装置を作動させ」に、「パチンコ遊技機」が「パチンコ機」に、「特別可変入賞球装置３」が「第１の可変入賞装置」に、「普通可変入賞球装置４」が「第２の可変入賞装置」に、「打玉が入賞しやすい遊技者にとって有利な第１の状態と打玉が入賞しにくいまたは入賞しない遊技者にとって不利な第２の状態とに変化する」が「遊技者に不利な第１状態から有利な第２状態に変換する」に夫々相当している。
　また、引用発明の「特別可変表示装置１の表示結果」及び「普通可変表示装置２の表示結果」が本願発明の「両可変表示装置の表示」に相当し、引用発明の「横３行および斜め対角線上に２列の合計５列のラインにたとえば７７７が揃えば大当り状態となり」及び「所定の識別情報となれば」が「予め設定された表示態様になると」に相当している。
　また、引用発明の「第１の可変入賞装置」と「第２の可変入賞装置」とは、引用例の上記記載事項（ア）「普通可変入賞球装置４とが・・設けられている。さらに遊技領域２２３の下方位置には、・・特別可変入賞球装置３、・・が一体的に設けられている。」なる記載及び第１図からみて、本願発明と「第１の可変入賞装置と前記第２の可変入賞装置とを上下に配置」した点で共通する構成を備えている。　　
　そして、引用発明の「第１の可変入賞装置」は、引用例の上記記載事項（ウ）「・・図中５２は特定入賞領域（Ｖポケット）であり、この特定入賞領域５２にパチンコ玉が入賞すれば特定入賞検出器１２によりその入賞玉が検出される。」なる記載に基づけば、本願発明と同様に「特別スイッチを備える特別領域」が設けられている。
　   　　　
してみると、引用発明と本願発明とは
　　　　　
「第１の特定入賞口へのパチンコ球の飛入に基づき第１の可変表示装置を作動させ、第２の特定入賞口へのパチンコ球の飛入に基づき第２の可変表示装置を作動させ、両可変表示装置の表示が各々予め設定された表示態様になると、第１及び第２の可変入賞装置を各々遊技者に不利な第１状態から有利な第２状態に変換するようにしたパチンコ機であって、
　前記第１の可変入賞装置と前記第２の可変入賞装置とを上下に配置させ、前記第１の可変入賞装置には、特別スイッチを備える特別領域を設けたパチンコ機。」
　　　　　
　である点で一致し、以下の点で相違する。
　　　
＜相違点１＞
　第２の可変入賞装置に、本願発明は、球をカウントする検出スイッチを設けているのに対し、引用発明は、上記機能を有する検出スイッチを備えているか明らかでない点。
＜相違点２＞
　第１の可変入賞装置と第２の可変入賞装置とを、本願発明は、上下に隣接させているのに対し、引用発明は、上下の配置が隣接しているか否か明らかでない点。
＜相違点３＞
　本願発明は、第１の可変入賞装置の開口部は、第２の可変入賞装置の開口部より横幅が広いのに対し、引用発明は、第１の可変入賞装置の開口部と第２の可変入賞装置の開口部の横幅の大小関係が不明である点。
　　　　
４．相違点についての検討
＜相違点１について＞
　可変入賞装置を備えたパチンコ機において、可変入賞装置に球をカウントする検出スイッチを設けることは、従来周知の技術（例えば、実願昭６１−１９６６９１号（実開昭６３−１０２４８９号）のマイクロフィルム、第８頁第６行〜第９頁第１４行、実願昭６３−５１６９４号（実開昭６４−１２５８３号）のマイクロフィルム、第９頁第３行〜第１４頁第２０行参照）である。
　そして、引用発明と周知技術の入賞装置は、ともに可変型の入賞装置で機能は同一であるから、引用発明の第２の可変入賞装置に、上記周知技術の検出スイッチを適用し、第２の可変入賞装置に検出スイッチを備えさせること、すなわち本願発明に係る相違点１を構成することは、当業者であれば、適宜に変更し得る設計事項といえる。
　　　　
＜相違点２について＞
　第１の可変入賞装置と第２の可変入賞装置を上下に隣接するのは、本願明細書の記載によれば、大入賞口と小入賞口とを１つの取付基板上に構成することができ、遊技盤上のスペースの節約、入賞装置の小型化、入賞態様に変化を持たせること等を目的としている。（段落【００３０】参照）
　ところで、可変入賞装置を備えるパチンコ機において、複数の可変入賞装置を１つの取付基板上に上下に配置することは、広く行われる周知技術（例えば、特開昭６３−１５８０７９号公報、第１５頁右上欄第１行〜同頁左下欄第１５行、第４０，４１図、特開平３−２５８２７６号公報、第３頁右上欄第１８行〜第４頁左上欄第４行、第４，５図参照）であり、複数の可変入賞装置を１つの取付基板上に配置することにより、遊技盤面において遊技スペースを確保でき、入賞態様に変化を持たせることも自明（特開昭６３−１５８０７９号公報、第１５頁左下欄第１１〜１５行参照）であるから、複数の可変入賞装置を１つの取付基板上に設る際に、隣接して配置することは、上記に示すように遊技盤上におけるスペースを確保する要請からも、当業者であれば当然に行い得る事項といえる。
　そうすると、引用発明と周知技術の入賞装置は、ともに可変型の入賞装置で機能は同じであるから、引用発明の上下に配置された第１の可変入賞装置と第２の可変入賞装置に、１つの基板上に上下に複数の可変入賞装置を設けた上記周知技術を適用し、上下に隣接して配置するようにすること、すなわち、本願発明に係る相違点２を構成することは、当業者であれば適宜に変更し得る設計事項といえる。
（なお、本願発明には明確に限定する記載はないが、遊技盤上に特別スイッチを有する第１の可変入賞装置を上に、普通電動の役物である第２の可変入賞装置を下に配置することも、パチンコ機分野において従来周知の技術（例えば、特開平４−２３１０８６号公報、段落【００４４】、【図１８】、特開平４−９２６８８号公報、第７頁左上欄第５〜１１行、第１０図参照）である。）
　　　　　
＜相違点３＞について
　本願発明において、各可変入賞装置の開口幅は、実質的に球を受け入れる幅を構成するものであるが、パチンコ機分野において、１つの基板上に上下に球を受け入れる入賞装置或いは始動口等を設ける際に、一方の球の受け入れを他方より容易にするために、実質的に球を受け入れる幅を上下で異ならせることは、従来周知の技術（例えば、実願昭５６−１８４９４号（実開昭５７−１３０６７６号）のマイクロフィルム、第６頁第２０行〜第７頁第９行、特開昭６２−２９２１８３号公報、第３頁右上欄第１８行〜同頁右下欄第５行、第３図（Ａ）、（Ｂ）参照）であるから、上下に可変入賞装置を配置する際に、受け入れを容易にする側の開口幅を広くすることは、当業者が適宜に行い得る事項のものといえる。
　そして、引用発明と周知技術の入賞装置は、ともに上下に配置された入賞装置或いは始動口であるから、引用発明の上下に配置される可変入賞装置に、実質的に球を受け入れる幅が上下で異なる上記周知技術を適用し、本願発明に係る相違点３を構成することは、当業者であれば、容易になし得ることである。
　　　　　　
５．作用効果・判断
  そして、本願発明における作用効果は、引用発明及び周知技術に基づいて当業者が当然予測できるものである。
　したがって、本願発明は、引用発明及び周知技術に基づいて当業者が容易に発明をすることができたものであるから、特許法第２９条第２項の規定により特許を受けることができない。
　　　　　
６．むすび
　以上のとおり、本願発明は、引用発明及び周知技術に基づいて、当業者が容易に発明をすることができたものであるから、特許法第２９条第２項の規定により特許を受けることができないものであり、本願は拒絶すべきものである。
　よって、結論のとおり審決する。